(57)【要約】  【課題】本発明は、キャラクタ送信機能を備えるカラオケシステムに関し、カラオケ施設の利用喚起、歌唱喚起を図ることを目的とする。  【解決手段】端末ＩＤが関連付けられたカロリーの増減に応じたキャラクタ形態のレベルで変化させた変化キャラクタを登録しておき、変化キャラクタ対応付処理手段３２が、端末ＩＤ毎に、過去分の増減カロリーと所定期間毎に摂取させる仮想の摂取カロリーに基づく経過期間における累積摂取カロリーと端末ＩＤに関連付けられた楽曲の歌唱で消費する累積消費カロリーとから算出された増減カロリーによりキャラクタレベル特定テーブル３４でキャラクタレベルを特定し、変化キャラクタ記憶部３５に記憶されている当該端末ＩＤに対応するキャラクタＩＤの当該レベルの変化キャラクタデータを当該端末ＩＤのパーソナル通信端末１７に送信する構成とする。  【選択図】  図１
2010014751.tif 000002
【特許請求の範囲】
【請求項１】
利用者の所持するパーソナル通信端末の端末ＩＤに関連づけられた楽曲の歌唱による消費カロリーを含むカロリーに応じて変化させたキャラクタのデータを当該端末ＩＤのパーソナル通信端末に送信するキャラクタ送信機能を備えるカラオケシステムであって、
キャラクタレベル特定テーブル、変化キャラクタ記憶部、端末ＩＤ別キャラクタ登録部、端末ＩＤ別カロリー記録部、予約待ち行列、増減カロリー算出手段、変化キャラクタ対応付処理手段を有するものであり、
前記キャラクタレベル特定テーブルには、増減カロリー範囲と、その範囲に応じたキャラクタ形態のレベルが対応付けられて記憶され、
前記変化キャラクタ記憶部には、キャラクタＩＤ毎に、カロリーの増減に応じたキャラクタ形態のレベルに基づく変化キャラクタが所定数記憶され、
前記端末ＩＤ別キャラクタ登録部には、利用者により設定された前記変化キャラクタ記憶部に記憶される所定の変化キャラクタに対応する、キャラクタＩＤと上記端末ＩＤとが関連付けられて登録され、
前記端末ＩＤ別カロリー記録部には、端末ＩＤ毎に、少なくとも所定のタイミングで算出された増減カロリーが記録され、
前記予約待ち行列には、選曲楽曲が予約者の所持する前記パーソナル通信端末の端末ＩＤが関連付けられて登録され、
前記増減カロリー算出手段は、端末ＩＤ毎に、前記端末ＩＤ別カロリー記録部に記録された過去分の増減カロリーと、所定期間毎に摂取させる仮想の摂取カロリー及び経過期間に基づく累積摂取カロリーと、前記端末ＩＤが関連付けられた楽曲の歌唱毎に消費する累積消費カロリーとにより、所定のタイミングで増減カロリーを算出して前記端末ＩＤ別カロリー記録部に記録し、
前記変化キャラクタ対応付処理手段は、端末ＩＤ毎に、前記端末ＩＤ別カロリー記録部に記録された増減カロリーに基づき、キャラクタ特定テーブルの増減カロリー範囲に対応するキャラクタ形態のレベルを取得し、当該レベル及び前記端末ＩＤ別キャラクタ登録部に登録されている当該端末ＩＤに関連付けられているキャラクタＩＤに基づき、前記変化キャラクタ記憶部に記憶されている変化キャラクタを特定し、特定した当該変化キャラクタのデータを歌唱した楽曲に関連付けられた端末ＩＤの前記パーソナル通信端末に送信する、
ことを特徴とするキャラクタ送信機能を備えるカラオケシステム。
【請求項２】
請求項１記載のキャラクタ送信機能を備えるカラオケシステムであって、
前記増減カロリー算出手段における前記増減カロリー算出のタイミングは、前記利用者の歌唱毎であり、
前記変化キャラクタ対応処理手段は歌唱毎に前記特定した変化キャラクタのデータを歌唱した楽曲に関連付けられた端末ＩＤのパーソナル通信端末に送信することを特徴とするキャラクタ送信機能を備えるカラオケシステム。
【請求項３】
請求項１記載のキャラクタ送信機能を備えるカラオケシステムであって、
前記増減カロリー算出手段における前記増減カロリー算出のタイミングは、所定の前記パーソナル通信端末のシステムログアウト時であり、
前記変化キャラクタ対応処理手段は、システムログアウトした前記パーソナル通信端末に当該端末ＩＤが関連付けられて特定した変化キャラクタのデータを送信することを特徴とするキャラクタ送信機能を備えるカラオケシステム。
【発明の詳細な説明】
【技術分野】
【０００１】
本発明は、歌唱時の消費カロリーに関連した模擬体型のキャラクタを変化させて利用者の所持するパーソナル通信端末に送信するキャラクタ送信機能を備えるカラオケシステムに関する。
【背景技術】
【０００２】
近年、カラオケシステムにおいては、カラオケ施設の利用喚起、歌唱喚起のためのサービスが種々提供されてきている。その中でも利用者ＩＤで関連付けられた顔写真を表示させることや、利用者の分身として作成され若しくは設定されたアバターを表示させることも行われてきている。このようなカラオケ施設の利用喚起、歌唱喚起のためのサービスとしては、利用者にさらなる興味を惹くサービスの提供が望まれる。
【０００３】
従来、カラオケ楽曲の歌唱に関連してキャラクタ表示させる技術が下記の特許文献に開示されている。特許文献１には、歌唱者毎にキャラクタに関する画像が設定され、歌唱動作に基づいて設定された曲名、歌唱回数、採点結果、応援者等の基礎データを歌唱動作毎に累積的に記録カードに格納し、複数の寄贈データ或いは各基礎データの組み合わせから少なくとも１つ以上のパラメータを設定して当該各パラメータ値に応じて異なる画像を選択的に表示させるもので、具体的には、表１に示されているように設定されたキャラクタに付加的なものを合成して表示することが開示されている。
【０００４】
【特許文献１】特開２００２−０４１０６３号公報
【発明の開示】
【発明が解決しようとする課題】
【０００５】
ところで、特許文献１に開示されているものは、表示させるキャラクタにシチュエーションなどの他の映像を付加するものであるが、キャラクタ自体が変化するものではない。すなわち、歌唱行為が健康増進に寄与するものとして歌唱が提唱されており、健康増進のための歌唱行為からすれば、上記特許文献１では当該健康増進と表示されるキャラクタとの関連性を持たせることはできない。また、このようなキャラクタは専らカラオケシステムで表示されるもので、利用者がパーソナル通信端末などで所持することの要求に応えることができないという問題がある。
【０００６】
そこで、本発明は上記課題に鑑みなされたもので、歌唱行為による健康増進の見知から歌唱行為で変化するキャラクタを利用者に所持させることでカラオケ施設の利用喚起、歌唱喚起を図るキャラクタ送信機能を備えるカラオケシステムを提供することを目的とする。
【課題を解決するための手段】
【０００７】
上記課題を解決するために、請求項１の発明では、利用者の所持するパーソナル通信端末の端末ＩＤに関連づけられた楽曲の歌唱による消費カロリーを含むカロリーに応じて変化させたキャラクタのデータを当該端末ＩＤのパーソナル通信端末に送信するキャラクタ送信機能を備えるカラオケシステムであって、キャラクタレベル特定テーブル、変化キャラクタ記憶部、端末ＩＤ別キャラクタ登録部、端末ＩＤ別カロリー記録部、予約待ち行列、増減カロリー算出手段、変化キャラクタ対応付処理手段を有するものであり、前記キャラクタレベル特定テーブルには、増減カロリー範囲と、その範囲に応じたキャラクタ形態のレベルが対応付けられて記憶され、前記変化キャラクタ記憶部には、キャラクタＩＤ毎に、カロリーの増減に応じたキャラクタ形態のレベルに基づく変化キャラクタが所定数記憶され、前記端末ＩＤ別キャラクタ登録部には、利用者により設定された前記変化キャラクタ記憶部に記憶される所定の変化キャラクタに対応する、キャラクタＩＤと上記端末ＩＤとが関連付けられて登録され、前記端末ＩＤ別カロリー記録部には、端末ＩＤ毎に、少なくとも所定のタイミングで算出された増減カロリーが記録され、前記予約待ち行列には、選曲楽曲が予約者の所持する前記パーソナル通信端末の端末ＩＤが関連付けられて登録され、前記増減カロリー算出手段は、端末ＩＤ毎に、前記端末ＩＤ別カロリー記録部に記録された過去分の増減カロリーと、所定期間毎に摂取させる仮想の摂取カロリー及び経過期間に基づく累積摂取カロリーと、前記端末ＩＤが関連付けられた楽曲の歌唱毎に消費する累積消費カロリーとにより、所定のタイミングで増減カロリーを算出して前記端末ＩＤ別カロリー記録部に記録し、前記変化キャラクタ対応付処理手段は、端末ＩＤ毎に、前記端末ＩＤ別カロリー記録部に記録された増減カロリーに基づき、キャラクタ特定テーブルの増減カロリー範囲に対応するキャラクタ形態のレベルを取得し、当該レベル及び前記端末ＩＤ別キャラクタ登録部に登録されている当該端末ＩＤに関連付けられているキャラクタＩＤに基づき、前記変化キャラクタ記憶部に記憶されている変化キャラクタを特定し、特定した当該変化キャラクタのデータを歌唱した楽曲に関連付けられた端末ＩＤの前記パーソナル通信端末に送信する、構成とする。
【０００８】
請求項２、３の発明では、「前記増減カロリー算出手段における前記増減カロリー算出のタイミングは、前記利用者の歌唱毎であり、前記変化キャラクタ対応処理手段は歌唱毎に前記特定した変化キャラクタのデータを歌唱した楽曲に関連付けられた端末ＩＤのパーソナル通信端末に送信する」構成であり、
「前記増減カロリー算出手段における前記増減カロリー算出のタイミングは、所定の前記パーソナル通信端末のシステムログアウト時であり、前記変化キャラクタ対応処理手段は、システムログアウトした前記パーソナル通信端末に当該端末ＩＤが関連付けられて特定した変化キャラクタのデータを送信する」構成である。
【発明の効果】
【０００９】
本発明によれば、端末ＩＤに関連付けてカロリーの増減に応じたキャラクタ形態のレベルで体重増減形態を変化させた変化キャラクタが登録され、端末ＩＤ毎に、過去分の増減カロリーと、所定期間毎に摂取させる仮想の摂取カロリーに基づく経過期間における累積摂取カロリーと、歌唱毎に消費する累積消費カロリーとから算出された増減カロリーに基づきキャラクタ特定テーブルよりキャラクタ形態のレベルを特定し、当該レベル及び当該端末ＩＤに関連付けられたキャラクタＩＤに基づいて変化キャラクタ記憶部から当該特定したレベルの変化キャラクタを当該端末ＩＤのパーソナル通信端末に送信する構成とすることにより、歌唱行為による健康増進の見知から歌唱行為で変化するキャラクタを利用者に所持させることでカラオケ施設の利用喚起、歌唱喚起を図ることができるものである。
【発明を実施するための最良の形態】
【００１０】
以下、本発明の最良の実施形態を図により説明する。
図１に本発明に係るキャラクタ送信機能を備えるカラオケシステムのブロック構成図を示すと共に、図２に図１のキャラクタ関連記憶内容の説明図を示す。図１において、キャラクタ表示機能を備えるカラオケシステム１１は、主要装置としてのカラオケ演奏装置１２に、有線及び無線で外部接続されるものとして、表示部１３及びミキシングアンプ１４及びマイク１５が接続され、当該ミキシングアンプ１４にマイク１５、スピーカ１６が接続される。また、端末ＩＤで特定されるパーソナル通信端末１７が無線形態で単一又は複数（本実施形態では単一として説明する）接続され、当該パーソナル通信端末１７には、少なくとも楽曲予約手段１８、キャラクタデータ取得手段１９及び端末表示部２０を備える。
【００１１】
上記表示部１３は、通常の楽曲選曲表示やカラオケ演奏時の映像、歌詞テロップを表示する他に、歌唱に関連した変化キャラクタを表示するもので、例えば液晶ディスプレイ（ＬＣＤ）、プラズマディスプレイ（ＰＤＰ）、その他種々のディスプレイを採用することができる。上記ミキシングアンプ１４は、カラオケ演奏装置１２より送られてくる演奏データとマイク１５からの音声信号をミキシングし、増幅してスピーカ１６より出力する。
【００１２】
上記パーソナル通信端末１７は、システム利用者が各自所持するもので、カラオケ演奏装置１２に対して図示しない送受信部により端末ＩＤで特定されて通信自在とされ、当該端末ＩＤは図示しない制御部で記憶される。通信方式としては、カラオケ演奏装置１２に対して無線方式（ＩＥＥＥ規格（Ｗｉ−Ｆｉ、Ｗｉ−ＭＡＸ）、ＩＲ方式、ブルートゥース（登録商標）機構のピコネット接続方式など）などを利用することができる。
【００１３】
上記端末表示部２０は、例えば液晶ディスプレイ（ＬＣＤ）であり、当該液晶ディスプレイ（ＬＣＤ）とタッチセンサとを積層して入出力用とし、表示されるアイコンや入力画面等に対応して当該タッチセンサにより楽曲の選択やフリーペン入力などのデータ群を入力することができるユーザインタフェースＧＵＩを備える。
【００１４】
上記楽曲予約手段１８は、カラオケ演奏装置１２に対して楽曲を端末ＩＤに関連付けて予約要求するプログラムであり、例えば楽曲予約フォーマットを端末表示部２０に表示させ、曲名、アーチスト名をＧＵＩの端末表示部２０より入力させてカラオケ演奏装置１２に送信する。なお、詳細は後述するが、カラオケ演奏装置１２では楽曲予約受付手段（３１）が送信されてきた曲名、アーチスト名から楽曲ＩＤを特定して端末ＩＤを関連付けて予約待ち行列３９に登録する。また、事前にパーソナル通信端末１７に楽曲に対応する索引情報が記憶されている場合は、当該パーソナル通信端末１７上で検索された楽曲の楽曲ＩＤを直接カラオケ演奏装置１２に送信してもよい。この場合、楽曲予約受付手段（３１）は、送信されてきた楽曲ＩＤと送信したパーソナル通信端末１３の端末ＩＤを関連づけて予約待ち行列に登録する。上記キャラクタデータ取得手段１９は、カラオケ演奏装置１２より送信されてくるキャラクタデータを取得して、所定の操作等により適宜端末表示部２０に表示させるプログラムである。
【００１５】
上記カラオケ演奏装置１２は、バス２１、中央制御部２２、ＲＯＭ２３、ＲＡＭ２４、記憶部２４Ａ、楽曲ＤＢ（楽曲データベース）２５、映像ＤＢ（映像データベース）２６、音楽演奏制御部２７、映像再生制御部２８、増減カロリー算出手段２９、通信端末登録手段３０、楽曲予約手段３１、変化キャラクタ対応付処理手段３２及び送受信部３３を適宜備える。当該記憶部２４Ａにはキャラクタレベル特定テーブル３４、変化キャラクタ記憶部３５、端末ＩＤ別キャラクタ登録部３６及び端末ＩＤ別カロリー記録部３７に記憶領域が形成され、ＲＡＭ２４には通信端末情報個別記憶部３８及び予約待ち行列３９の記憶領域が形成される。なお、上記各構成について、本発明の要旨と直接関連しない要素部分であっても、従前のカラオケ演奏装置においても大部分が適用可能であることを示すために、装置全体を説明する。
【００１６】
上記中央制御部２２は、このシステムを統括的に処理制御する物理的なＣＰＵであり、ＲＯＭ２３に記憶されているプログラムに基づくアルゴリズム処理を行う。上記ＲＡＭ２４は、上記記憶領域の他に種々のプログラムを展開、実行させるための作業領域としての役割をなすもので、例えば半導体メモリで構成され、仮想的にハードディスク上に構築される場合をも含む概念である。
【００１７】
上記楽曲ＤＢ２５は、楽曲毎に、音符データ及び歌詞データを格納する。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ（登録商標）形式の音符データ）及び歌詞データ（歌詞テロップデータ）が同期されて構成される楽曲データ（ファイル）について楽曲コードをファイル名としてそれぞれ格納したデータベースであり、映像ＤＢ２６に格納された当該楽曲毎の背景映像を表示するための所定数のシーン映像を割り当てる割当データが関連付けられる。当該映像ＤＢ２６は、背景映像表示のための所定数のシーン映像データを所定数格納するデータベースである。
【００１８】
上記音楽演奏制御部２７は、楽曲コードで楽曲ＤＢ２５より抽出された音符データをデジタル出力し、アナログ変換してミキシングアンプ１４に出力する電子回路である。上記映像再生制御部２８は、演奏時に、映像ＤＢ２６より抽出された所定数のシーン映像データ及び楽曲コードで楽曲ＤＢ２５より抽出された歌詞テロップデータ（歌詞文字データ）を当該楽曲の音符データに同期させて表示部１３に出力する電子回路である。
【００１９】
上記増減カロリー算出手段２９は、歌唱者による歌唱音声から歌唱消費カロリーを算出すると共に、端末ＩＤ毎に、端末ＩＤ別カロリー記録部３７に記録された過去分の増減カロリーと、所定期間毎に摂取させる仮想の摂取カロリー及び経過期間に基づく累積摂取カロリーと、端末ＩＤが関連付けられた楽曲の歌唱毎に消費する累積消費カロリーとにより、所定のタイミングで増減カロリーを算出して端末ＩＤ別カロリー記録部３７に記録するプログラム乃至電子回路である。歌唱による消費カロリーの算出は、例えば、特許第３０８８７０１号公報に記載されたものが適用できる。なお、本実施形態では、累積摂取カロリーを算出するにあたって期間を例えば１日単位とし、１日における仮想の摂取カロリーを一例として３０Ｋｃａｌとしている。
【００２０】
ここで、上記増減カロリー算出手段２９における増減カロリー算出のタイミングは、利用者による歌唱毎若しくはパーソナル通信端末１７のシステムログアウト時とされる。この実施形態では、増減カロリー算出のタイミングを利用者による歌唱毎として説明し、システムログアウト時とする場合を図８で説明する。
【００２１】
上記通信端末登録手段３０は、カラオケ演奏装置１２を利用する利用者が所持するパーソナル通信端末１７から、ログイン処理により当該端末ＩＤを取得し、ＲＡＭ２４の通信端末情報個別記憶部３８に記憶するプログラムである。なお、このとき利用者の氏名やニックネームを入力させて、併せて当該端末ＩＤと関連付けて記憶させてもよい。
【００２２】
上記楽曲予約受付手段３１は、パーソナル通信端末１７（楽曲予約手段１８）からの端末ＩＤが附帯された楽曲の予約要求に対して、例えば曲名、アーチスト名が送信されてきたときに、これらから楽曲ＩＤを特定して端末ＩＤを関連付けてＲＡＭ２４の予約待ち行列３９に登録するプログラムであり、当該予約待ち行列３９に登録された楽曲は順番に演奏される（図５で説明する）。
【００２３】
上記変化キャラクタ対応付処理手段３２は、端末ＩＤ毎に、後述の端末ＩＤ別カロリー記録部３７に記録された増減カロリーに基づき、キャラクタレベル特定テーブル３４の増減カロリー範囲に対応するキャラクタ形態のレベルを取得し、当該レベル及び当該端末ＩＤ別キャラクタ登録部３６に記録された当該端末ＩＤに関連付けられているキャラクタＩＤに基づき、変化キャラクタ記憶部３５に記憶されている変化キャラクタを特定し、特定した当該変化キャラクタのデータを歌唱した楽曲に関連付けられた端末ＩＤの前記パーソナル通信端末に送信するプログラムである。
【００２４】
上記送受信部３３は、パーソナル通信端末１７との間で同じ無線方式（を利用してデータ授受を行うためのもので、そのための電子回路及びプログラムである。
【００２５】
上記記憶部２４Ａに記憶されているキャラクタレベル特定テーブル３４は、図２（Ａ）に示すように、増減カロリー範囲と、その範囲に応じたキャラクタ形態のキャラクタレベルが対応付けられて記憶されたものである。上記増減カロリーとは、所持者がキャラクタを設定したときからの歌唱による歌唱消費カロリーと所定期間（ここでは１日単位としている）毎に仮想的に摂取する仮想摂取カロリーとから算出されたカロリー値であり、適宜設定したカロリー範囲で割り振られる。また、キャラクタレベルとは、変化キャラクタ（図２（Ｂ）で説明する）の体重増減形態を特定するレベルであり、レベルゼロを基準としてマイナス方向とプラス方向とに段階的に設定したものである。ここでは、一例として１００Ｋｃａｌ毎の範囲でキャラクタレベルを対応付けている。
【００２６】
上記記憶部２４Ａに記憶されている変化キャラクタ記憶部３５は、図２（Ｂ）に示すように、キャラクタＩＤ毎に、変化キャラクタ（イメージデータ）が、レベル０を基準体型又は基準容姿の基本形態としてカロリーの範囲に応じてマイナス方向のキャラクタレベルに従って順次体重減形態で作成され、プラス方向のキャラクタレベルに従って順次体重増形態で作成されたものがセットとして予め記憶されるもので、これらのキャラクタレベルが上記キャラクタレベル特定テーブル３４と対応付けられるものである。この中の基本形態（レベル０）は、当該所持者が作成し、若しくは予め用意されたキャラクタ群より選択したキャラクタとして設定するものであるが、変化キャラクタの基本形態を作成若しくは選択するにあたり、各部（例えば、頭部、胴部、手足等）や服装などを当該変化キャラクタ記憶部３５に記憶させておき、利用者の組み合せで選択させるいわゆるカスタムメイドとしてもよい。
【００２７】
なお、変化キャラクタを、上記のように基本形態に対応させて複数用意する他に、特に図示しないが、座標値に応じて体重増減形態が変化する２次元データ若しくは３次元データの基本形態のみで構成してもよい。例えば、３ＤのＣＧ（コンピュータグラフィックス）として３次元のローカル座標を定義し、当該３次元のローカル座標に移動量の変数を与えることにより体重増減形態を表現することができるものである。例えばキャラクタレベル特定テーブル３４にキャラクタカロリーの所定の範囲に対応した変数レベル値を設定しておくことで実現することができる。
【００２８】
この場合、上記体重増減形態を表現するにあたっては、一方向（例えばＸ軸方向）の変数で足り、その意味では２次元データのＣＧ（３次元データの一を「０」として扱えばよい）であっても適用することができるものである。この場合のＣＧデータの体重増減形態への対応は、例えばキャラクタレベル特定テーブル３４にキャラクタカロリーの所定の範囲に対応した変数レベル値を設定しておき、３次元の座標を行列演算して変換後の座標データを求める一般的に知られているアフィン変換により実現することができる。
【００２９】
上記記憶部２４Ａに記憶されている端末ＩＤ別キャラクタ登録部３６には、図２（Ｃ）に示すように、端末ＩＤ毎に、上記変化キャラクタ記憶部３５から選択された所定の変化キャラクタがキャラクタＩＤとして関連付けられて登録され、当該キャラクタＩＤで上記変化キャラクタ記憶部３５の変化キャラクタが特定される。なお、利用者に、作成し、若しくは選択したキャラクタに名称（キャラクタ名）を付けさせてもよく、この場合には当該端末ＩＤ別キャラクタ登録部３６に関連付けて登録しておいてもよい。
【００３０】
記憶部２４Ａに記憶される上記端末ＩＤ別カロリー記録部３７には、端末ＩＤ毎に、少なくとも所定タイミングで算出された増減カロリーが記録されるもので、図２（Ｄ）に示すように、カラオケシステム１１の歌唱日毎に、歌唱によって消費される消費カロリーが累積された累積消費カロリー（Ｋｃａｌ）、所定期間毎に設定された仮想の摂取カロリーに基づく経過期間における累積摂取カロリーと上記累積消費カロリーとにより所定タイミングで過去分を含めた増減カロリー（Ｋｃａｌ）が順次記録されたものである。ここでは、上述のように利用者が１日単位で３０Ｋｃａｌを仮想的に摂取する摂取カロリーとしている。
【００３１】
例えば、前回の歌唱日における過去分の前増減カロリー（変化キャラクタの登録時には当該前増減カロリーはゼロとなる）に、次の歌唱日までの日数に上記仮想の摂取カロリーを乗算した累積摂取カロリーが加算され、歌唱毎に消費された消費カロリーを累積した累積消費カロリーを減算したものが当該利用日の増減カロリーとなる。これらが歌唱日毎に利用者ＩＤに関連付けられた利用者別カロリー記録部３６に記録されるものである（演算処理は図６と共に図４で説明する）。
【００３２】
そこで、図３に図１のカラオケシステムにおける変化キャラクタのログイン時の処理フローチャートを示すと共に、図４に図１の変化キャラクタ対応付処理手段によるカロリー算出の説明図を示す。図３において、まず、所定の利用者がカラオケシステム１１に対して、所持するパーソナル通信端末１７によりログイン要求した場合に、通信端末登録手段３０が当該パーソナル通信端末１７の端末ＩＤを取得し、ＲＡＭ２４の通信端末情報個別記憶部３８に記憶する（ステップ（Ｓ）１）。
【００３３】
増減カロリー算出手段２９では、図４（Ａ）に示す端末ＩＤ別カロリー記録部３７を参照して、当該端末ＩＤにおける前回の歌唱日及び前増減カロリーを取得し（Ｓ２）、前回の歌唱日（ログアウト時）からログイン日までの日数を算出する（Ｓ３）。そして、変化キャラクタ対応付処理手段３２が、図４（Ｂ）に示すように、ＲＡＭ２４の作業メモリ領域で当該算出した日数より１日あたりの仮想の摂取カロリー（３０Ｋｃａｌ）を乗算して累積摂取カロリーを算出すると共に、当該累積摂取カロリーを端末ＩＤ別カロリー記録部３７より取得した前増減カロリーに加算してログイン日カロリーを算出し、端末ＩＤ別カロリー記録部３７に当該歌唱日をＩＤとして、上記算出したログイン日カロリーを新規に記録する（Ｓ４）。
【００３４】
例えば、図４（Ｂ）に示すように、ログイン日を２００８年５月２２日とし、図における前回の歌唱日（利用日）を端末ＩＤ別カロリー記録部３７の２００８年５月１８日とした場合、前回の歌唱日からの日数＝４日に１日あたりの仮想の摂取カロリー（３０Ｋｃａｌ）を乗算した累積摂取カロリー＝１２０Ｋｃａｌが算出され、図４（Ｂ）には示されないが、前回の前増減カロリー＝１４０Ｋｃａｌと加算されたキャラクタカロリーが２６０Ｋｃａｌとなり、これがログイン日カロリーとなる。
【００３５】
なお、上記ログイン日カロリーに基づいてキャラクタレベル特定テーブル３４を参照して変化キャラクタレベル（レベル＋３）を取得し、当該レベルに対応する変化キャラクタを変化キャラクタ記憶部３５より特定し、当該特定した変化キャラクタのデータ（ファイル）及び増減カロリー情報を当該パーソナル通信端末１７のログイン直後に当該端末ＩＤのパーソナル通信端末１７に送信することとしてもよい。
【００３６】
続いて、図５に図１のパーソナル通信端末による楽曲予約の説明図を示すと共に、図６に図１のカラオケシステムにおける歌唱による変化キャラクタ対応付けの処理フローチャートを示し、図７に変化キャラクタ表示の説明図を示す。図５（Ａ）において、例えばパーソナル通信端末１７（楽曲予約手段１８）から端末ＩＤが附帯されて例えば曲名、アーチスト名に基づいてカラオケ演奏装置１２に楽曲の予約要求がされると、楽曲予約受付手段３１が、これら曲名及びアーチスト名から楽曲ＩＤを特定して端末ＩＤを関連付けてＲＡＭ２４の予約待ち行列３９に、図５（Ｂ）に示すように予約要求順に登録する。当該予約待ち行列３９に登録された楽曲は、例えば中央制御部２２の指令により順番に演奏される。
【００３７】
そして、カラオケ演奏装置１２では、図６に示すように、予約待ち行列３９に登録された楽曲が演奏されると（Ｓ１１）、当該演奏情報の当該楽曲に附帯された端末ＩＤが変化キャラクタ対応付処理手段３２に送出される。当該楽曲演奏について予約者である歌唱者の歌唱による歌唱音声が増減カロリー算出手段２９に入力され、歌唱が終了すると、当該増減カロリー算出手段２９が歌唱消費カロリー（例えば１７５Ｋｃａｌ）を算出する（Ｓ１２）。
【００３８】
また、増減カロリー算出手段２９は、算出した歌唱消費カロリー（１７５Ｋｃａｌ）をログイン日カロリー（２６０Ｋｃａｌ）より減算して増減カロリー（８５Ｋｃａｌ）を算出し、図４（Ｂ）に示すように、端末ＩＤ別カロリー記録部３７の当該日における累積消費カロリー及び増減カロリーを記憶する（Ｓ１３）。
【００３９】
そして、変化キャラクタ対応付処理手段３２は、算出された増減カロリーに基づいて、キャラクタレベル特定テーブル３４を参照して変化キャラクタレベル（レベル＋１）を取得し、当該レベルに対応する変化キャラクタを変化キャラクタ記憶部３５（図２（Ｂ）参照）より特定し、当該特定した変化キャラクタのデータ（ファイル）及び増減カロリー情報を当該端末ＩＤのパーソナル通信端末１７に送信するものである（Ｓ１４）。
【００４０】
上記変化キャラクタのデータ（ファイル）及び増減カロリー情報を受信したパーソナル通信端末１７では、これをキャラクタデータ取得手段１９が取得し、例えば図７（Ａ）に示すように、端末表示部２０に、例えば増減カロリー情報と共に表示されるものである。なお、上記ログイン日カロリー（２６０Ｋｃａｌ）の変化キャラクタレベル（レベル＋３）を取得した場合には、図７（Ｂ）に示すように、これを併せて表示させることとしてもよく、また、当該ログイン日カロリーの変化キャラクタのみ（図７（Ｂ）の左枠内）を表示させることもできるものである。これら取得した当該キャラクタデータを他の用途で使用することとしてもよい。
【００４１】
このように、歌唱による変化したキャラクタを歌唱者の所持するパーソナル通信端末１７に送信することで所有させることから、歌唱行為による健康増進の見知からカラオケ施設の利用喚起、歌唱喚起を図ることができるものである。
【００４２】
次に、図８に、図１のカラオケシステムにおける変化キャラクタ送信の他の形態の処理フローチャートを示す。上記実施形態では、増減カロリー算出のタイミングを利用者のパーソナル通信端末１７のシステムログアウト時とする場合としたものである。図８において、予約待ち行列３９に登録された楽曲が演奏されると（Ｓ２１）、当該演奏情報の当該楽曲に附帯された端末ＩＤが変化キャラクタ対応付処理手段３２に送出される。当該楽曲演奏について予約者である歌唱者の歌唱による歌唱音声が増減カロリー算出手段２９に入力され、歌唱が終了すると、当該増減カロリー算出手段２９が歌唱消費カロリー（例えば１７５Ｋｃａｌ）を算出する（Ｓ２２）。
【００４３】
また、増減カロリー算出手段２９は、算出した歌唱消費カロリー（１７５Ｋｃａｌ）をログイン日カロリー（２６０Ｋｃａｌ）より減算して増減カロリー（８５Ｋｃａｌ）を算出し、図４（Ｂ）に示すように、端末ＩＤ別カロリー記録部３７の当該日における累積消費カロリー及び増減カロリーを記憶し、当該パーソナル通信端末１７がログアウトされるまでに（Ｓ２４）当該端末ＩＤに関連付けられた楽曲が歌唱される毎に更新する（Ｓ２３）。
【００４４】
そして、当該パーソナル通信端末１７がログアウトされると（Ｓ２４）、変化キャラクタ対応付処理手段３２は、算出された増減カロリーに基づいて、キャラクタレベル特定テーブル３４を参照して変化キャラクタレベル（レベル＋１）を取得し、当該レベルに対応する変化キャラクタを変化キャラクタ記憶部３５（図２（Ｂ）参照）より特定し、当該特定した変化キャラクタのデータ（ファイル）及び増減カロリー情報を当該端末ＩＤのパーソナル通信端末１７に送信するものである（Ｓ２５）。
【００４５】
このように、増減カロリー算出手段２９による増減カロリーの算出のタイミングを当該パーソナル通信端末１７のシステムログアウト時とすることであっても、上記同様に、歌唱による変化したキャラクタを歌唱者の所持するパーソナル通信端末１７に送信することで所有させることから、歌唱行為による健康増進の見知からカラオケ施設の利用喚起、歌唱喚起を図ることができるものである。
【００４６】
ところで、上記各実施形態では、歌唱消費カロリーを歌唱者の歌唱音声に基づいて算出する場合を示したが、予め一曲に対して一律の歌唱消費カロリーを定めておくこととしてもよい。
【産業上の利用可能性】
【００４７】
本発明のキャラクタ送信機能を備えるカラオケシステムは、カラオケの基本的機能を備えるカラオケ装置の分野に利用可能である。
【図面の簡単な説明】
【００４８】
【図１】本発明に係るキャラクタ送信機能を備えるカラオケシステムのブロック構成図である。
【図２】図１のキャラクタ関連記憶内容の説明図である。
【図３】図１のカラオケシステムにおける変化キャラクタのログイン時の処理フローチャートである。
【図４】図１の変化キャラクタ対応付処理手段によるカロリー算出の説明図である。
【図５】図１のパーソナル通信端末による楽曲予約の説明図である。
【図６】図１のカラオケシステムにおける歌唱による変化キャラクタ対応付けの処理フローチャートである。
【図７】変化キャラクタ表示の説明図である。
【図８】図１のカラオケシステムにおける変化キャラクタ送信の他の形態の処理フローチャートである。
【符号の説明】
【００４９】
１１            カラオケシステム
１２            カラオケ演奏装置
１７            パーソナル通信端末
１８            楽曲予約手段
１９            キャラクタデータ取得手段
２０            端末表示部
２９            増減カロリー算出手段
３２            変化キャラクタ対応付処理手段
３４            キャラクタレベル特定テーブル
３５            変化キャラクタ記憶部
３６            端末ＩＤ別キャラクタ登録部
３７            端末ＩＤ別カロリー記録部
３９            予約待ち行列
【図１】
2010014751.tif 000003
【図２】
2010014751.tif 000004
【図３】
2010014751.tif 000005
【図４】
2010014751.tif 000006
【図５】
2010014751.tif 000007
【図６】
2010014751.tif 000008
【図７】
2010014751.tif 000009
【図８】
2010014751.tif 000010